(57)【要約】【課題】焦点の粗動調整と微動調整とを行うことができると共に焦点を容易に合わせることができる簡易な構成を有し、製造コストを抑えることができる焦点調整機構を備えた顕微鏡を提供すること。【解決手段】焦点調整機構２０Ａを備えた顕微鏡１を構成するにあたり、ステージ受け１５およびレボルバ１４のいずれか一方を焦点調整用可動部とし、この焦点調整用可動部の変位方向を制限するガイド部２１と、粗動調整用領域２２１ａと微動調整用領域２２１ｂとを含む焦点調整面２２１を有すると共に少なくとも一部が焦点調整用可動部と一体化された粗微動調整部２２Ａと、直動部材２３１Ａを直動部材駆動部２３２Ａによって粗微動調整部側および粗微動調整部側とは反対の側に移動させることができる直動装置部２３Ａとを用いて焦点調整機構を構成し、かつ直動部材の一端が微動調整用領域内の所定箇所ＦＰに接したときに焦点が合うように構成する。【選択図】  図１
2011253123.tif 000002
【特許請求の範囲】
【請求項１】
被観察物が載置されるステージを保持するステージ受けと、複数の対物レンズの中から一つの対物レンズを選択的に前記被観察物の上方に位置させることができるレボルバと、前記ステージ受けおよび前記レボルバのいずれか一方を焦点調整用可動部として支持して、焦点調整時に前記被観察物の上方に位置している対物レンズの光軸に沿った方向に前記焦点調整用可動部を変位させることができる焦点調整機構とを備えた顕微鏡において、
前記焦点調整機構は、
前記焦点調整用可動部と係合して該焦点調整用可動部の変位方向を前記光軸に沿った方向に制限するガイド部と、
前記光軸に直交する平面と９０°よりも小さな角をなす粗動調整用領域と該粗動調整用領域よりも前記平面と小さな角をなして前記粗動調整用領域の上端または下端に連続する微動調整用領域とを含む焦点調整面を有し、少なくとも一部が前記焦点調整用可動部に一体的に設けられた粗微動調整部と、
前記粗微動調整部に一端が接した状態で配置された直動部材と該直動部材を前記粗微動調整部側または該粗微動調整部側とは反対の側に移動させることができる直動部材駆動部とを有し、前記直動部材を前記粗微動調整部側に移動させたときに、前記焦点調整用可動部に前記光軸に沿った方向の力を生じさせる直動装置部と、
を備え、
前記直動部材の前記一端が前記微動調整用領域内の所定箇所に接したときに焦点が合うことを特徴とする顕微鏡。
【請求項２】
前記粗微動調整部は、前記焦点調整用可動部自体であり、
前記直動部材は、前記一端を前記焦点調整面に接触させた状態で配置されていることを特徴とする請求項１に記載の顕微鏡。
【請求項３】
前記粗微動調整部は、前記焦点調整面が設けられた焦点調整用ユニットを更に有し、
該焦点調整用ユニットは前記焦点調整用可動部に一体的に装置され、前記直動部材は前記一端を前記焦点調整面に接触させて配置されていることを特徴とする請求項１に記載の顕微鏡。
【請求項４】
前記粗微動調整部は、
前記焦点調整用可動部に設けられて、前記光軸に直交する平面と前記焦点調整面とがなす角が変位する方向に回動可能に前記焦点調整用ユニットを支持するユニット回動軸と、
前記焦点調整用可動部と前記焦点調整用ユニットとに架設され、前記焦点調整用ユニットを焦点調整用可動部側に引き寄せるユニット引寄せ部材と、
前記焦点調整用可動部に一端が軸支された傾き調整用回動軸と、
前記傾き調整用回動軸の一端側に固定され、前記焦点調整用ユニットでの焦点調整用可動部側の面に接触しながら前記傾き調整用回動軸の回動に伴って偏心運動する傾き調整部材と、
前記傾き調整用回転軸の他端側に固定された傾き調整ダイヤルと、
を更に有することを特徴とする請求項３に記載の顕微鏡。
【請求項５】
前記粗微動調整部は、
前記焦点調整用可動部に設けられて、前記光軸に直交する平面と前記焦点調整面とがなす角が変位する方向に回動可能に前記焦点調整用ユニットを支持するユニット回動軸と、
前記焦点調整用可動部と前記焦点調整用ユニットとに架設され、前記焦点調整用ユニットを焦点調整用可動部側に引き寄せるユニット引寄せ部材と、
前記焦点調整用可動部に一端が軸支された傾き調整用回動軸と、
前記傾き調整用回動軸の一端側に固定され、前記焦点調整用ユニットでの焦点調整用可動部側の面に接触しながら前記傾き調整用回動軸の回動に伴って偏心運動する傾き調整部材と、
前記レボルバに設けられて該レボルバの回動に伴って回動するレボルバ側動力伝達部材と前記傾き調整用回動軸の他端側に固定された軸側動力伝達部材とを含み、前記レボルバの回動によって生じる動力を前記傾き調整用回動軸に伝達して該傾き調整用回動軸を回動させる動力伝達部と、
を更に有することを特徴とする請求項３に記載の顕微鏡。
【請求項６】
前記粗微動調整部は、
前記焦点調整面を有し、該焦点調整面を前記焦点調整用可動部側に向けて前記直動部材の前記一端側に固定された焦点調整用ユニットと、
前記焦点調整用可動部に一端が固定され、他端が前記焦点調整用ユニット側に突出して前記焦点調整面に接触した応力伝達部材と、
を更に有することを特徴とする請求項１に記載の顕微鏡。
【請求項７】
前記焦点調整用可動部は、前記直動部材が前記粗微動調整部側とは反対の側に移動したときに、自重によって前記ガイド部に沿って変位することを特徴とする請求項１〜６のいずれか一つに記載の顕微鏡。
【請求項８】
前記焦点調整機構は、前記焦点調整用可動部を前記光軸に沿った方向に弾性支持する可動部用弾性部材を更に備え、
前記焦点調整用可動部は、前記直動部材が前記粗微動調整部側とは反対の側に移動したときに、前記可動部用弾性部材の弾性力によって前記ガイド部に沿って変位することを特徴とする請求項１〜６のいずれか一つに記載の顕微鏡。
【発明の詳細な説明】
【技術分野】
【０００１】
本発明は顕微鏡に関するものであり、特に焦点調整機構を備えた顕微鏡に関するものである。
【背景技術】
【０００２】
顕微鏡には、被観察物と対物レンズとの相対距離を調整して被観察物を対物レンズの焦点位置に合わせるための焦点調整機構が設けられる。焦点調整機構には手動式のものと電動式のものがあるが、いずれの焦点調整機構も、所定の部材を焦点調整用可動部として支持して、この焦点調整用可動部を対物レンズの光軸に沿った方向に変位させることで焦点を調整する。また、多くの焦点調整機構は、観察倍率に拘わらず被観察物に焦点を容易に合わせることができるように、焦点調整用可動部を大きく変位させる粗動調整と、小さく変位させる微動調整とを行うことができるように構成されている。
【０００３】
例えば特許文献１に記載された焦点調整機構（準焦機構）は、粗動調整時に焦点調整用可動部を移動させるための粗動調節用モータと、微動調整時に焦点調整用可動部を移動させるための微動調節用モータとを用いて構成されている。粗動調節用モータの出力軸はリードねじに連結されており、このリードねじは、直動案内機構に沿って移動可能なスライダと螺合している。粗動調節用モータの駆動によってリードねじが回動すると、スライダが直動案内機構に沿って所定方向に移動し、この移動に伴って焦点調整用可動部も移動する。同様に、微動調節用モータを駆動させると他のリードねじが回動し、このリードねじの回動によって他のスライダが他の直動案内機構に沿って所定方向に移動し、これに伴って焦点調整用可動部も移動する。
【先行技術文献】
【特許文献】
【０００４】
【特許文献１】特開平４−１６１９１８号公報
【発明の概要】
【発明が解決しようとする課題】
【０００５】
しかしながら、特許文献１に記載された焦点調整機構は、微動調節用モータ、粗動調節用モータ、ならびに個々のモータ毎に設けられたリードねじ、スライダ、および直動案内機構等を用いて構成されるので、部品点数が比較的多く、構成も比較的複雑である。このため、製造コストが高い。
【０００６】
本発明は、上記の事情に鑑みてなされたものであり、焦点の粗動調整と微動調整とを行うことができると共に焦点を容易に合わせることができる簡易な構成を有し、製造コストを抑えることができる焦点調整機構を備えた顕微鏡を提供することを目的とする。
【課題を解決するための手段】
【０００７】
上記の目的を達成する本発明の顕微鏡は、被観察物が載置されるステージを保持するステージ受けと、複数の対物レンズの中から一つの対物レンズを選択的に前記被観察物の上方に位置させることができるレボルバと、前記ステージ受けおよび前記レボルバのいずれか一方を焦点調整用可動部として支持して、焦点調整時に前記被観察物の上方に位置している対物レンズの光軸に沿った方向に前記焦点調整用可動部を変位させることができる焦点調整機構とを備えた顕微鏡において、前記焦点調整機構は、前記焦点調整用可動部と係合して該焦点調整用可動部の変位方向を前記光軸に沿った方向に制限するガイド部と、前記光軸に直交する平面と９０°よりも小さな角をなす粗動調整用領域と該粗動調整用領域よりも前記平面と小さな角をなして前記粗動調整用領域の上端または下端に連続する微動調整用領域とを含む焦点調整面を有し、少なくとも一部が前記焦点調整用可動部に一体的に設けられた粗微動調整部と、前記粗微動調整部に一端が接した状態で配置された直動部材と該直動部材を前記粗微動調整部側または該粗微動調整部側とは反対の側に移動させることができる直動部材駆動部とを有し、前記直動部材を前記粗微動調整部側に移動させたときに、前記焦点調整用可動部に前記光軸に沿った方向の力を生じさせる直動装置部と、を備え、前記直動部材の前記一端が前記微動調整用領域内の所定箇所に接したときに焦点が合うことを特徴とする。
【０００８】
また、本発明の顕微鏡は、上記の発明において、前記粗微動調整部は、前記焦点調整用可動部自体であり、前記直動部材は、前記一端を前記焦点調整面に接触させた状態で配置されていることを特徴とする。
【０００９】
また、本発明の顕微鏡は、上記の発明において、前記粗微動調整部は、前記焦点調整面が設けられた焦点調整用ユニットを更に有し、該焦点調整用ユニットは前記焦点調整用可動部に一体的に装置され、前記直動部材は前記一端を前記焦点調整面に接触させて配置されていることを特徴とする。
【００１０】
また、本発明の顕微鏡は、上記の発明において、前記粗微動調整部は、前記焦点調整用可動部に設けられて、前記光軸に直交する平面と前記焦点調整面とがなす角が変位する方向に回動可能に前記焦点調整用ユニットを支持するユニット回動軸と、前記焦点調整用可動部と前記焦点調整用ユニットとに架設され、前記焦点調整用ユニットを焦点調整用可動部側に引き寄せるユニット引寄せ部材と、前記焦点調整用可動部に一端が軸支された傾き調整用回動軸と、前記傾き調整用回動軸の一端側に固定され、前記焦点調整用ユニットでの焦点調整用可動部側の面に接触しながら前記傾き調整用回動軸の回動に伴って偏心運動する傾き調整部材と、前記傾き調整用回転軸の他端側に固定された傾き調整ダイヤルと、を更に有することを特徴とする。
【００１１】
また、本発明の顕微鏡は、上記の発明において、前記粗微動調整部は、前記焦点調整用可動部に設けられて、前記光軸に直交する平面と前記焦点調整面とがなす角が変位する方向に回動可能に前記焦点調整用ユニットを支持するユニット回動軸と、前記焦点調整用可動部と前記焦点調整用ユニットとに架設され、前記焦点調整用ユニットを焦点調整用可動部側に引き寄せるユニット引寄せ部材と、前記焦点調整用可動部に一端が軸支された傾き調整用回動軸と、前記傾き調整用回動軸の一端側に固定され、前記焦点調整用ユニットでの焦点調整用可動部側の面に接触しながら前記傾き調整用回動軸の回動に伴って偏心運動する傾き調整部材と、前記レボルバに設けられて該レボルバの回動に伴って回動するレボルバ側動力伝達部材と前記傾き調整用回動軸の他端側に固定された軸側動力伝達部材とを含み、前記レボルバの回動によって生じる動力を前記傾き調整用回動軸に伝達して該傾き調整用回動軸を回動させる動力伝達部と、を更に有することを特徴とする。
【００１２】
また、本発明の顕微鏡は、上記の発明において、前記粗微動調整部は、前記焦点調整面を有し、該焦点調整面を前記焦点調整用可動部側に向けて前記直動部材の前記一端側に固定された焦点調整用ユニットと、前記焦点調整用可動部に一端が固定され、他端が前記焦点調整用ユニット側に突出して前記焦点調整面に接触した応力伝達部材と、を更に有することを特徴とする。
【００１３】
また、本発明の顕微鏡は、上記の発明において、前記焦点調整用可動部は、前記直動部材が前記粗微動調整部側とは反対の側に移動したときに、自重によって前記ガイド部に沿って変位することを特徴とする。
【００１４】
また、本発明の顕微鏡は、上記の発明において、前記焦点調整機構は、前記焦点調整用可動部を前記光軸に沿った方向に弾性支持する可動部用弾性部材を更に備え、前記焦点調整用可動部は、前記直動部材が前記粗微動調整部側とは反対の側に移動したときに、前記可動部用弾性部材の弾性力によって前記ガイド部に沿って変位することを特徴とする。
【発明の効果】
【００１５】
本発明の顕微鏡における焦点調整機構は、直動部材を直動部材駆動部によって粗微動調整部側または粗微動調整部側とは反対の側に移動させることで焦点の粗動調整と微動調整とを可能にしたものであるので、二つのモータを用いて粗動調整と微動調整とを行う従来の焦点調整機構に比べて構成が簡易になる。このため、製造コストを抑えることができる。また、直動部材の一端が微動調整用領域内の所定箇所に接したときに、すなわち微動調整期間中に焦点が合うので、焦点を容易に合わせることができる。
【図面の簡単な説明】
【００１６】
【図１】図１は、本発明の顕微鏡の概略構成を示す一部断面側面図である。
【図２】図２は、図１に示した顕微鏡での焦点調整機構の概略構成を示す平面図である。
【図３】図３は、図１および図２に示した焦点調整機構における焦点調整面の概略構成を示す側面図である。
【図４】図４は、図１および図２に示した焦点調整機構における直動部材の概略構成を示す側面図である。
【図５−１】図５−１は、図１に示した顕微鏡のステージ受けが下死点に位置しているときの焦点調整面と直動部材との位置関係を概略的に示す側面図である。
【図５−２】図５−２は、図１に示した顕微鏡での粗動調整時の焦点調整面と直動部材との位置関係を概略的に示す側面図である。
【図５−３】図５−３は、図１に示した顕微鏡のステージ受けが上死点に位置しているときの焦点調整面と直動部材との位置関係を概略的に示す側面図である。
【図６−１】図６−１は、本発明の顕微鏡のうちで焦点調整用可動部の単位時間あたりの変位量が可変の焦点調整機構を備えたものの概略構成を示す一部断面側面図である。
【図６−２】図６−２は、図６−１に示した顕微鏡が備える焦点調整用ユニットを直動装置部側からみたときの概略構成を示す図である。
【図７−１】図７−１は、図６−１に示した顕微鏡が備える粗微動調整部の回動状態を示す側面図である。
【図７−２】図７−２は、図６−１に示した顕微鏡が備える粗微動調整部の他の回動状態を示す側面図である。
【図８】図８は、本発明の顕微鏡のうちでレボルバを回動させることで焦点調整用可動部の単位時間あたりの変位量の調整が可能な焦点調整機構を備えたものの概略構成を示す一部断面側面図である。
【図９−１】図９−１は、本発明の顕微鏡で焦点調整機構を構成する粗微動調整部のうち、粗動調整用領域および微動調整用領域の各々の傾斜角度を別個に変更することができるものでの各調整用領域の状態を概略的に示す一部断面側面図である。
【図９−２】図９−２は、本発明の顕微鏡で焦点調整機構を構成する粗微動調整部のうち、粗動調整用領域および微動調整用領域の各々の傾斜角度を別個に変更することができる粗微動調整部での各調整用領域の他の状態を概略的に示す一部断面側面図である。
【図１０】図１０は、本発明の顕微鏡を構成する焦点調整機構うち、直動部材の一端側に焦点調整用ユニットが固定されたものの概略構成を示す側面図である。
【図１１】図１１は、本発明の顕微鏡を構成する焦点調整機構うち、レボルバを焦点調整用可動部とするものの概略構成を示す一部切欠き側面図である。
【図１２】図１２は、本発明の顕微鏡を構成する焦点調整機構うち、焦点調整用可動部が可動部用弾性部材で弾性支持されているものの概略構成を示す側面図である。
【図１３−１】図１３−１は、本発明の顕微鏡で焦点調整機構を構成する焦点調整用ユニットのうち、三つの平面で構成された焦点調整面を有するものの概略構成を示す側面図である。
【図１３−２】図１３−２は、本発明の顕微鏡で焦点調整機構を構成する焦点調整用ユニットのうち、一つの曲面で構成された焦点調整面を有するものの概略構成を示す側面図である。
【図１４】図１４は、本発明の顕微鏡で焦点調整機構を構成する直動装置部のうち、ラック・アンド・ピニオンを用いた電動式のものの概略構成を示す平面図である。
【図１５】図１５は、本発明の顕微鏡で焦点調整機構を構成する直動装置部のうち、ラック・アンド・ピニオンを用いた手動式のものの概略構成を示す平面図である。
【発明を実施するための形態】
【００１７】
以下、本発明の顕微鏡の実施の形態およびその変形例について、図面を参照して詳細に説明する。なお、下記の各形態および各変形例は本発明の一例を示すものであり、本発明はこれらに限定されるものではない。
【００１８】
（実施の形態１）
図１は、本発明の顕微鏡の概略構成を示す一部断面側面図である。また、図２は、図１に示した顕微鏡での焦点調整機構の概略構成を示す平面図であり、図３は、図１および図２に示した焦点調整機構における焦点調整面の概略構成を示す側面図であり、図４は、図１および図２に示した焦点調整機構における直動部材の概略構成を示す側面図である。図２〜図４に示す構成要素のうちで図１に示す構成要素と共通するものには、図１で用いた参照符号と同じ参照符号を付してある。
【００１９】
図１に示す顕微鏡１は、顕微鏡本体１０を備えており、この顕微鏡本体１０は、ベース１１、鏡柱１２、鏡筒１３、レボルバ１４、ステージ受け１５、ステージ１６、コンデンサ受け１７、コンデンサ１８、および焦点調整機構２０Ａを備えている。また、顕微鏡１は、顕微鏡本体１０に装着されたランプハウス３０も備えている。
【００２０】
顕微鏡本体１０のベース１１は、鏡柱１２を支える台であり、顕微鏡１の使用時には当該ベース１１を下にして顕微鏡本体１０が机上等に置かれる。このベース１１の背面側には、ランプハウス３０を装着するための筒状のランプハウス接続部１１ａが設けられている。また、ベース１１内には、ランプハウス３０内の光源３１から放射されてベース１１内に入射した光をコンデンサ１８に導くために、不図示の複数個の光学素子が配置されている。
【００２１】
鏡柱１２は、ベース１１の奥側から上方に伸びた支柱部１２ａと、支柱部１２ａの上端側から前方に張り出した上側アーム部１２ｂとを有しており、上側アーム部１２ｂでの先端側上部に鏡筒１３が、また先端側下部にレボルバ１４が取り付けられている。支柱部１２ａの前面側には開口部１２ｃが形成されており、この開口部１２ｃからステージ受け１５が前方に張り出している。
【００２２】
鏡筒１３は、下端側が上側アーム部１２ｂに固定された鏡筒本体１３ａと、鏡筒本体１３ａの上部側に設けられて斜め上方に突出した接眼レンズ装着部１３ｂと、鏡筒本体１３ａ内および接眼レンズ装着部１３ｂ内に配置された不図示の複数個の光学素子とを有している。顕微鏡１の使用時には、接眼レンズ装着部１３ｂに接眼レンズＥＰが装着される。
【００２３】
レボルバ１４は、上側アーム部１２ｂの先端側下部に回転自在の状態で固定配置されている。顕微鏡１の使用時には、このレボルバ１４に複数の対物レンズを装着することができる。図１には、二つの対物レンズＯｂ１，Ｏｂ２が現れている。レボルバ１４を回転させることによって所望の対物レンズを被観察物Ｓ上に選択的に位置させることがき、被観察物Ｓ上に位置させた対物レンズＯｂ１は、鏡筒１３内に配置された各光学素子および接眼レンズ装着部１３ｂに装着された接眼レンズＥＰと共に、被観察物Ｓの像を観察するための観察光学系を形成する。図１においては、観察光学系の光軸における対物レンズＯｂ１の光軸ＯＡ１を二点鎖線で示し、観察光学系の光軸における残りの光軸ＯＡ２を一点鎖線で示している。
【００２４】
ステージ受け１５は、顕微鏡１での焦点調整用可動部に相当し、後端部１５ａを鏡柱１２内に挿入した状態で焦点調整機構２０Ａによって支持されて、支柱部１２ａの前面側に張り出している。また、ステージ１６は、ステージ受け１５の上部に着脱可能に水平設置されている。このステージ１６でのレボルバ１４側の面に、被観察物Ｓが載置される。光軸ＯＡ１に直交する面内でのステージ１６の位置は、ステージ１６の下部に設けられたステージ移動ハンドル１６ａを操作することによって調整可能である。
【００２５】
コンデンサ受け１７は、ステージ１６の下方に張り出すようにして、ステージ受け１５に上下動自在に設けられている。そして、コンデンサ１８は、コンデンサ受け１７によってステージ１６の下方に水平に保持されている。光軸ＯＡ１に沿った方向でのコンデンサ１８の位置は、ステージ受け１５に設けられたコンデンサハンドル１７ａを操作してコンデンサ受け１７の位置を光軸ＯＡ１に沿った方向に変位させることで調整可能である。このコンデンサ１８は、ベース１１内に設けられた前述の光学素子およびランプハウス３０と共に、光源３１から放射されてベース１１内に入射した光を被観察物Ｓの下方に導いて被観察物Ｓをその下方から照明する照明光学系を構成する。図１においては、照明光学系の光軸ＯＡ１１を一点鎖線で示している。
【００２６】
焦点調整機構２０Ａは、前述したようにステージ受け１５を焦点調整用可動部として支持し、被観察物Ｓ上に位置させた対物レンズＯｂ１の光軸ＯＡ１に沿った方向にステージ受け１５を変位させることで被観察物Ｓと対物レンズＯｂ１との相対距離を変えて、焦点の調整を行う。図１では、ステージ受け１５の変位方向を矢印Ａで示している。
【００２７】
上記の焦点調整を行うために、焦点調整機構２０Ａは、一対のガイド部２１，２１と、粗微動調整部２２Ａと、粗微動調整部２２Ａに外力を加えることができる直動装置部２３Ａとを備えており、粗微動調整部２２Ａは焦点調整面２２１を、また直動装置部２３Ａは直動部材２３１Ａと直動部材駆動部２３２Ａとを有している。
【００２８】
また、焦点調整機構２０Ａは、信号線２４を介して直動部材駆動部２３２Ａに接続された駆動回路基板２５と、電源線２６を介して駆動回路基板２５に接続された電源部２７と、信号線２８ａを介して電源部２７に接続された上昇指示ボタン２９ａと、信号線２８ｂを介して電源部２７に接続された下降指示ボタン２９ｂも備えている。上昇指示ボタン２９ａおよび下降指示ボタン２９ｂの各々は、ベース１１の側面から外方に突出している。
【００２９】
この焦点調整機構２０Ａにおける各ガイド部２１は、鏡柱１２内に立設されて光軸ＯＡ１に沿った方向に延在しており、個々のガイド部２１は、ステージ受け１５と係合してステージ受け１５の変位方向を光軸ＯＡ１に沿った方向に制限する。
【００３０】
図２に示すように、ステージ受け１５の後端部１５ａには当該後端部１５ａを貫通する一対のガイド溝１５ｂ，１５ｂが設けられており、一つのガイド溝１５ｂに一つのガイド部２１が挿通されて、対応するガイド溝１５ｂと係合している。各ガイド溝１５ｂは、例えばリニアボールガイドによって構成される。前述のように、鏡柱１２の前面側には、光軸ＯＡ１に沿った方向へのステージ受け１５の変位を可能にするための開口部１２ｃが形成されている。なお、図２中の参照符号「１６ｂ」は、被観察物Ｓが封入されたプレパラートＰをステージ１６上に固定するための一対のクレンメルを示しており、参照符号「１６ｃ」は、ステージ１６の中央部に形成されて照明光の光路となる開口部を示している。
【００３１】
図１に示した粗微動調整部２２Ａは、前述した焦点調整面２２１を有しており、焦点調整機構２０Ａではステージ受け１５自体が粗微動調整部２２Ａとなる。すなわち、焦点調整面２２１は、ステージ受け１５、具体的には図１に示すステージ受け１５の後端部１５ａに設けられている。この粗微動調整部２２Ａは、直動装置部２３Ａの直動部材２３１Ａが当該粗微動調整部２２Ａ側に移動したときに、各ガイド部２１と係合しているステージ受け１５に光軸ＯＡ１に沿った方向の力を生じさせて、ステージ受け１５を各ガイド部２１に沿って変位させる。
【００３２】
図３に示すように、焦点調整面２２１は、粗動調整用領域２２１ａと微動調整用領域２２１ｂとを含み、焦点調整面２２１の下端には直動部材２３１Ａのステージ受け１５側への移動範囲を制限するストッパ部１５ｃが連続している。粗動調整用領域２２１ａは、光軸ＯＡ１に直交する平面ＰＳと９０°よりも小さな角をなしてステージ受け１５の背面１５ｄの下端に連続する平面であり、微動調整用領域２２１ｂは、粗動調整用領域２２１ａよりも平面ＰＳと小さな角をなして粗動調整用領域２２１ａの下端に連続する平面である。これら粗動調整用領域２２１ａと微動調整用領域２２１ｂとの稜２２１ｃは、面取り加工等によって曲面となっている。
【００３３】
ここで、光軸ＯＡ１に直交する平面ＰＳと粗動調整用領域２２１ａがなす角とは、平面ＰＳと粗動調整用領域２２１ａとが交わったときに平面ＰＳ上に形成されて互いに補角をなす二つの角のうちの小さい方の角θ１を意味する。同様に、平面ＰＳと微動調整用領域２２１ｂがなす角とは、平面ＰＳと微動調整用領域２２１ｂとが交わったときに平面ＰＳ上に形成されて互いに補角をなす二つの角のうちの小さい方の角θ２を意味する。
【００３４】
稜２２１ｃを基準にした粗動調整用領域２２１ａの高さＨ１は、被観察物Ｓを交換する際に対物レンズＯｂ１とステージ１６との間に設けることが望まれる間隔の広さを考慮して適宜選定される。また、微動調整用領域２２１ｂの下端を基準にした微動調整用領域２２１ｂの高さＨ２は、焦点位置を微動調整しながら被観察物Ｓの厚さ方向の任意の箇所に焦点を合わすことができるように、当該厚さを考慮して適宜選定される。例えば、高さＨ１は１０ｍｍ程度に設定することができ、顕微鏡１が普及機である場合の高さＨ２は、普及機で観察される被観察物Ｓの厚さが１〜１．５ｍｍ程度であることから、２ｍｍ程度に設定することができる。
【００３５】
なお、顕微鏡１では、直動部材２３１Ａの先端部が微動調整用領域２２１ｂ内の所定箇所ＦＰ（以下、「準焦位置」という）に接してステージ受け１５が各ガイド部２１に沿って変位したときに、被観察物Ｓに焦点が合うように設定されている。
【００３６】
一方、直動装置部２３Ａは、前述のように直動部材２３１Ａと直動部材駆動部２３２Ａとを有している。直動部材２３１Ａは、焦点調整面２２１に一端を接した状態で配置されており、直動部材駆動部２３２Ａは、直動部材２３１Ａを粗微動調整部２２Ａ側または粗微動調整部２２Ａ側とは反対の側に移動させる。
【００３７】
図４に示すように、直動部材２３１Ａは、ボールねじ２３１ａと、ボールねじ２３１ａの一端側に装着されたキャップ状のボール保持部２３１ｂと、ボール保持部２３１ｂに転動自在に保持されたボール２３１ｃとを有している。この直動部材２３１Ａは、先端部を焦点調整面２２１に接触させて、すなわちボール２３１ｃを焦点調整面２２１に接触させて配置されている。また、直動部材駆動部２３２Ａは、不図示の直流式の中空モータと、この中空モータの中空ロータに連結されたボールねじナットとを備えており、ボールねじナットは直動部材２３１Ａのボールねじ２３１ａに螺合している。
【００３８】
直動装置部２３Ａでは、図１に示した信号線２４を介して駆動回路基板２５から送られてくる信号電圧に応じて、中空モータが一定速度で正転または逆転する。上昇指示ボタン２９ａを押すと、所定値の正電圧が電源部２７から駆動回路基板２５に供給され、これを受けた駆動回路基板２５から正転を指示する信号電圧が直動装置部２３Ａに送られて中空モータが正転し、結果としてボールねじナットが正転して、直動部材２３１Ａがその先端部を焦点調整面２２１に接触させたまま粗微動調整部２２Ａであるステージ受け１５側に移動する。
【００３９】
また、下降指示ボタン２９ｂを押すと、所定値の負電圧が電源部２７から駆動回路基板２５に供給され、これを受けた駆動回路基板２５から逆転を指示する指示電圧が直動部材駆動部２３２Ａに送られて中空モータが逆転し、結果としてボールねじナットが逆転して、直動部材２３１Ａが粗微動調整部２２Ａとは反対の側に移動する。上昇指示ボタン２９ａと下降指示ボタン２９ｂとを交互に押せば、図１中の矢印Ｂで示すように、直動部材２３１Ａが光軸ＯＡと交差する方向、具体的には顕微鏡１のステージ１６側を前としたときの前後軸に沿った水平方向に往復運動する。
【００４０】
上述のように構成された焦点調整機構２０Ａを備えた顕微鏡１では、上昇指示ボタン２９ａまたは下降指示ボタン２９ｂを適宜押圧することにより、焦点を調整することができる。以下、図５−１〜図５−３を参照して、顕微鏡１での焦点調整について詳述する。
【００４１】
図５−１は、ステージ受けが下死点に位置しているときの焦点調整面と直動部材との位置関係を概略的に示す側面図であり、図５−２は、粗動調整時の焦点調整面と直動部材との位置関係を概略的に示す側面図であり、図５−３は、ステージ受けが上死点に位置しているときの焦点調整面と直動部材との位置関係を概略的に示す側面図である。これら図５−１〜図５−３に示す構成要素のうちで図１または図３に示した構成要素と共通するものには、図１または図３で用いた参照符号と同じ参照符号を付してある。
【００４２】
なお、図５−１〜図５−３中の参照符号「ＲＰ１」は、図１に示した対物レンズＯｂ１の光軸ＯＡ１に直交し、かつステージ受け１５が下死点に位置しているときのステージ受け上面に対応する鉛直方向基準面を示す。また、参照符号「ＲＰ２」は、光軸ＯＡ１に平行で、かつステージ受け１５が下死点に位置しているときの直動部材２３１Ａの後端面に接する水平方向基準面を示している。
【００４３】
図５−１に示すように、ステージ受け１５が下死点に位置しているときには、粗動調整用領域２２１ａの上端部に直動部材２３１Ａの先端部、具体的には図４に示したボール２３１ｃが接している。この状態で図１に示した上昇指示ボタン２９ａを押すと、直動部材駆動部２３２Ａが起動して中空モータが正転し、上昇指示ボタン２９ａが押されている間、直動部材２３１Ａが実質的に一定の速度で粗微動調整部２２Ａ側に移動する。
【００４４】
この間、粗動調整用領域２２１ａには、光軸ＯＡ１と交差する方向から、具体的には顕微鏡１の前後軸に沿った方向から直動部材２３１Ａによって外力が加えられる。そのため、光軸ＯＡ１に沿った方向の力がステージ受け１５に生じ、粗動調整用領域２２１ａと直動部材２３１Ａの先端部とが接触した状態のまま当該ステージ受け１５がガイド部２１に沿って上方に変位して、被観察物Ｓと対物レンズＯｂ１との距離が減少する。
【００４５】
図５−２に示すように、水平方向基準面ＲＰ２からの直動部材２３１Ａの移動量がΔｄ１であるとき、ステージ受け１５は、鉛直方向基準面ＲＰ１からΔｈ１だけ鉛直上方に変位する。変位量Δｈ１は、直動部材２３１Ａの移動量Δｄ１と、図３に示した角θ１に相当する粗動調整用領域２２１ａの傾斜角度とに応じて変化する。直動部材２３１Ａの先端部が粗動調整用領域２２１ａと接触している期間中は、微動調整用領域２２１ｂと接触している期間中に比べ、直動部材２３１Ａの単位移動量に対するステージ受け１５の変位量が大きく、単位時間あたりのステージ受け１５の変位量も大きい。この期間中は、焦点位置が粗動調整される。
【００４６】
更に上昇指示ボタン２９ａを押し続けると、焦点調整面２２１と直動部材２３１Ａの先端部との接触を保ったままステージ受け１５が更に鉛直上方に変位し、直動部材２３１Ａの先端部が微動調整用領域２２１ｂと接触するようになって、直動部材２３１Ａの単位移動量に対するステージ受け１５の変位量が小さくなる。すなわち、単位時間あたりのステージ受け１５の変位量が小さくなる。直動部材２３１Ａの先端部が微動調整用領域２２１ｂと接触している期間中は、焦点位置が微動調整される。微動調整の期間中におけるステージ受け１５の変位量は、直動部材２３１Ａの移動量と、図３に示した角θ２に相当する微動調整用領域２２１ｂの傾斜角度とに応じて変化する。被観察物Ｓが基準厚さの標本である場合は、微動調整用領域２２１ｂ内の準焦位置ＦＰに直動部材２３１Ａの先端部が接触すると、被観察物Ｓに焦点が合う。
【００４７】
更に上昇指示ボタン２９ａを押し続けると、図５−３に示すように、水平方向基準面ＲＰ２からの直動部材２３１Ａの移動量がΔｄ２になって当該直動部材２３１Ａの先端部がストッパ部１５ｃに接触し、直動部材２３１Ａの移動が止まる。すなわち、ステージ受け１５が上死点に達する。このとき、ステージ受け１５は、鉛直方向基準面ＲＰ１からΔｈ２だけ鉛直上方に変位している。
【００４８】
一方、粗動調整用領域２２１ａの上端部以外の箇所に直動部材２３１Ａの先端部が接しているときに図１に示した下降指示ボタン２９ｂを押すと、直動部材駆動部２３２Ａが起動して中空モータが逆転し、下降指示ボタン２９ｂが押されている間、直動部材２３１Ａが実質的に一定の速度で粗微動調整部２２Ａ側とは反対の側に移動する。この移動により、焦点調整面２２１と直動部材２３１Ａの先端部とが接触したままの状態でステージ受け１５が自重によって各ガイド部２１に沿って鉛直下方に変位して、被観察物Ｓと対物レンズＯｂ１との距離が増加する。
【００４９】
このとき、直動部材２３１Ａの単位移動量に対するステージ受け１５の変位量、すなわち単位時間あたりのステージ受け１５の変位量は、直動部材２３１Ａの先端部が粗動調整用領域２２１ａに接触しているか微動調整用領域２２１ｂに接触しているかに応じて変化する。直動部材２３１Ａの先端部が粗動調整用領域２２１ａと接触しているときには、直動部材２３１Ａの移動量と粗動調整用領域２２１ａの傾斜角度とに応じてステージ受け１５の変位量が変化し、微動調整用領域２２１ｂと接触しているときには、直動部材２３１Ａの移動量と微動調整用領域２２１ｂの傾斜角度とに応じてステージ受け１５の変位量が変化する。直動部材２３１Ａの後端面が水平方向基準面ＲＰ２に達すると、直動部材２３１Ａの移動が止まると共にステージ受け１５が下死点に達する。
【００５０】
上述のように上昇指示ボタン２９ａまたは下降指示ボタン２９ｂを押すことで焦点調整を行うことができる顕微鏡１では、直動部材２３１Ａを一つの直動部材駆動部２３２Ａで往復運動させることによって焦点の粗動調整と微動調整とを行うことができるので、二つのモータを用いて粗動調整と微動調整とを行う従来の焦点調整機構に比べて構成が簡易になる。また、直動部材駆動部２３２Ａに所定値の正電圧と負電圧とを供給して直動部材２３１Ａが一定の速度で移動するように構成しても焦点の粗動調整と微動調整とを行うことができるので、駆動回路基板２４での回路構成を単純化することができ、この点からも焦点調整機構２０Ａの構成が簡易なものとなる。
【００５１】
これらの結果として、顕微鏡１では、製造コストを抑えることができる。また、基準厚さの標本を用いた場合は、直動部材２３１Ａの先端が微動調整用領域２２１ｂ内の準焦位置ＦＰに接触したときに、すなわち微動調整期間中に焦点が合うので、焦点を容易に合わせることができる。
【００５２】
さらには、直動部材２３１Ａの先端にボール２３１ｃが配置されているので、直動部材２３１Ａの移動に伴ってステージ受け１５が各ガイド部２１に沿って変位する際に直動部材２３１Ａと焦点調整面２２１との間に働く摩擦抵抗が小さい。このため、ステージ受け１５を円滑に変位させることができる。また、粗動調整用領域２２１ａと微動調整用領域２２１ｂとの稜２２１ｃが曲面になっているので、粗動調整から微動調整への移行および微動調整から粗動調整への移行も円滑に行われる。
【００５３】
（実施の形態２）
本発明の顕微鏡では、焦点調整用可動部の単位時間あたりの変位量が可変となるように焦点調整機構を構成することができる。例えば、焦点調整用可動部とは別の部材に焦点調整面を設け、この焦点調整面の相対的な傾斜角度を変更することができるように当該部材を焦点調整用可動部に回動可能に設ければ、焦点調整用可動部の単位時間あたりの変位量が可変の焦点調整機構を構成することができる。
【００５４】
図６−１は、焦点調整用可動部の単位時間あたりの変位量が可変の焦点調整機構を備えた顕微鏡の概略構成を示す一部断面側面図であり、図６−２は、図６−１に示した顕微鏡が備える焦点調整用ユニットを直動装置部側からみたときの概略構成を示す図である。また、図７−１および図７−２は、それぞれ、図６−１に示した顕微鏡が備える粗微動調整部の回動状態を示す側面図である。図６−１に示す顕微鏡３０１は、図１に示したステージ受け１５に代えてステージ受け３１５を備えるという点、および図１に示した焦点調整機構２０Ａに代えて焦点調整機構２０Ｂを備えるという点をそれぞれ除き、図１に示した顕微鏡１と同様の構成を有している。図６−１に示した構成要素のうちで図１に示した構成要素と共通するものについては、図１で用いた参照符号と同じ参照符号を付してその説明を省略する。なお、図６−１においては、一対のガイド部２１，２１のうちの図面手前側のガイド部２１の図示を省略している。
【００５５】
ステージ受け３１５は焦点調整用可動部に相当し、その後端部３１５ａには、図６−１または図６−２に示すように、一対のユニット回転軸保持部３１５ｂ，３１５ｂと、軸支部３１５ｃと、回転軸支持部３１５ｄとが設けられている。図６−１では、一対のユニット回転軸保持部３１５ｂ，３１５ｂのうちの一方のみが現れている。
【００５６】
各ユニット回転軸保持部３１５ｂは、互いに間隔をあけて後端部３１５ａの下部に設けられ、一方のユニット回転軸保持部３１５ｂは軸支部３１５ｃの右側方から、また他方のユニット回転軸保持部３１５ｂは軸支部３１５ｃの左側方から軸支部３１５ｃよりも後方に突出している。なお、本明細書で用いる「右」、「左」の文言は、特に断らない限り、顕微鏡をステージ側から正面視したときの「右」、「左」を意味する。
【００５７】
軸支部３１５ｃは、後端部３１５ａの中央付近に形成された台状部であり、その平面視上の中央部には不図示の軸受けが配置されている。また、回転軸支持部３１５ｄは、後端部３１５ａの中央付近に形成されて軸支部３１５ｃの上方に張り出した平板状部であり、軸支部３１５ｃとの間に所定の間隔の隙間を形成している。この回転軸支持部３１５ｄの平面視上の中央部には、貫通孔が形成されている。
【００５８】
また、焦点調整機構２０Ｂは、焦点調整用可動部の単位時間あたりの変位量を可変にすることができるように、図１に示した粗微動調整部２２Ａに代えて粗微動調整部２２Ｂを備えるという点を除き、図１に示した焦点調整機構２０Ａと同様の構成を有している。
【００５９】
粗微動調整部２２Ｂは、焦点調整面２２１が設けられた焦点調整用ユニット２２２と、焦点調整面２２１の相対的な傾斜角度を変更するための各種の部材、具体的には一対のユニット回動軸２２３，２２３、一対のユニット用引寄せ部材２２４，２２４、傾き調整用回動軸２２５、傾き調整部材２２６、および傾き調整ダイヤル２２７とを備えている。なお、図６−１では、一対のユニット回動軸２２３，２２３のうちの一方のみ、および一対のユニット用引寄せ部材２２４，２２４のうちの一方のみがそれぞれ現れている。
【００６０】
各ユニット回転軸２２３は、顕微鏡３０１をステージ１６側から正面視したときの左右軸と当該ユニット回転軸２２３の長手軸とが互いに平行となるように、ユニット回転軸保持部３１５ｂ，３１５ｂによって保持されており、これらのユニット回転軸２２３には、焦点調整用ユニット２２２が焦点調整面２２１を直動部材２３１Ａ側に向け、かつ微動調整用領域２２１ｂ上の準焦位置と各ユニット回転軸２２３の回転中心線とが一直線上に位置する状態で保持されている。焦点調整用ユニット２２２の相対的な位置を安定させるために、回転軸支持部３１５ｄの右側面と焦点調整用ユニット２２２の右側面とに一つのユニット引寄せ部材２２４が架設され、回転軸支持部３１５ｄの左側面と焦点調整用ユニット２２２の左側面とに他の一つのユニット引寄せ部材２２４が架設されて、焦点調整用ユニット２２２をステージ受け３１５側、具体的には回転軸支持部３１５ｄ側に引き寄せている。なお、各ユニット引寄せ部材２２４としては、ゴムや各種のバネ等の弾性部材を用いることができ、顕微鏡３０１ではコイルバネが用いられている。
【００６１】
傾き調整用回動軸２２５は、回転軸支持部３１５ｄの貫通孔に挿通されており、その一端は、軸支部３１５ｃ中の軸受けによって軸支されている。また、傾き調整部材２２６は、傾き調整用回動軸２２５での軸支部３１５ｃ側の端部に偏心状態で固定されて、軸支部３１５ｃと回転軸支持部３１５ｄとの間の隙間に配置されている。この傾き調整部材２２６は円板状あるいは算盤玉状を呈し、焦点調整用ユニット２２２でのステージ受け３１５側の面に接触しながら、傾き調整用回動軸２２５の回動に伴って回動する。また、傾き調整ダイヤル２２７は、周面の一部を鏡柱１２から顕微鏡３０１の前面側に露出させた状態で、傾き調整用回動軸２２５の他端側に固定されている。
【００６２】
このため、傾き調整ダイヤル２２７を回動させると傾き調整用回動軸２２５が回動し、傾き調整用回動軸２２５の回動に伴って傾き調整部材２２６が回動して、傾き調整部材２２６が偏心運動する。図６−１では、傾き調整用回動軸２２５、傾き調整部材２２６、および傾き調整ダイヤル２２７の回動方向を矢印Ｃで示している。
【００６３】
前述のように、傾き調整部材２２６は焦点調整用ユニット２２２でのステージ受け３１５側の面に接触しているので、傾き調整用回動軸２２５を基準とした傾き調整部材２２６の焦点調整用ユニット２２２側への偏心量に応じて、焦点調整用ユニット２２２が各ユニット回転軸２２３とともに回動する。結果として、焦点調整面２２１の相対的な傾斜角度が変化し、これに伴って、直動部材２３１Ａをステージ受け３１５側またはステージ受け３１５とは反対の側に移動させたときのステージ受け３１５の単位時間あたりの変位量も変化する。なお、直動部材２３１Ａ側に焦点調整用ユニット２２２を回動させるときには、直動部材２３１Ａが焦点調整用ユニット２２２の回動の妨げとならないように、当該直動部材２３１Ａを焦点調整用ユニット２２２側とは反対の側に予め退避させておくことが好ましい。
【００６４】
例えば、図７−１に示すように、焦点調整用ユニット２２２側への傾き調整部材２２６の偏心量が最小値ΔＥ１のときは、焦点調整用ユニット２２２が各ユニット引寄せ部材２２４によってステージ受け３１５側に最も引き寄せられて、焦点調整面２２１の相対的な傾斜角度が最も大きくなる。すなわち、図６−１に示した対物レンズＯｂ１の光軸ＯＡ１に直交する平面に対する粗動調整用領域２２１ａおよび微動調整用領域２２１ｂそれぞれの傾斜角度が最も大きくなる。このため、直動部材２３１Ａを焦点調整用ユニット２２２側または焦点調整用ユニット２２２側とは反対の側に移動させた場合には、ステージ受け３１５が各ガイド部２１に沿って変位する際の単位時間あたりの変位量も大きくなる。
【００６５】
一方、図７−２に示すように、焦点調整用ユニット２２２側への傾き調整部材２２６の偏心量が最大値ΔＥ２のときは、焦点調整用ユニット２２２が直動部材２３１Ａ側に最も回動した状態となって、上記の平面に対する粗動調整用領域２２１ａおよび微動調整用領域２２１ｂそれぞれの傾斜角度が最も小さくなる。このため、直動部材２３１Ａを焦点調整用ユニット２２２側または焦点調整用ユニット２２２側とは反対の側に移動させた場合には、ステージ受け３１５が各ガイド部２１に沿って変位する際の単位時間あたりの変位量も小さくなる。なお、図７−２中の矢印Ｄは、焦点調整用ユニット２２２の回動方向を示している。
【００６６】
焦点調整用ユニット２２２側への傾き調整部材２２６の偏心量は、傾き調整ダイヤル２２７の回動方向および回動量に応じて連続的に変換するので、当該回動方向および回動量を調整することにより、焦点調整用ユニット２２２の回動方向および回動量を調整することができる。結果として、傾き調整ダイヤル２２７の回動方向および回動量を調整することにより、直動部材２３１Ａをステージ受け３１５側またはステージ受け３１５とは反対の側に移動させたときのステージ受け３１５の単位時間あたりの変位量を調整することができる。
【００６７】
上述の焦点調整機構２０Ｂを備えた顕微鏡３０１は、実施の形態１で説明した顕微鏡１と同様の技術的効果を奏する。また、焦点調整用可動部であるステージ受け３１５の単位時間あたりの変位量が可変となるように焦点調整機構２０Ｂが構成されているので、焦点調整や被観察物の交換作業を行い易くなるという技術的効果も奏する。
【００６８】
例えば、図６−１に示した被観察物Ｓ上に位置させた対物レンズＯｂ１の倍率が高いときには、焦点位置が僅かに変化しただけでも被観察物Ｓの像が大きく変化するので、焦点調整用ユニット２２２側への傾き調整部材２２６の偏心量が大きくなるように傾き調整ダイヤル２２７を回動させ、ステージ受け３１５の単位時間あたりの変位量を小さくしてから焦点調整することで焦点を合わせ易くなる。
【００６９】
また、対物レンズＯｂ１の倍率が低いときには、焦点位置が比較的大きく変化しても被観察物Ｓの像の変化が比較的小さいので、焦点調整用ユニット２２２側への傾き調整部材２２６の偏心量が小さくなるように偏傾き調整ダイヤル２２７を回動させ、ステージ受け３１５の単位時間あたりの変位量を大きくしてから焦点調整することで、短時間のうちに焦点を合わせ易くなる。
【００７０】
そして、被観察物Ｓを他の被観察物に交換する際には、焦点調整用ユニット２２２側への傾き調整部材２２６の偏心量が大きくなるように偏傾き調整ダイヤル２２７を回動させ、ステージ受け３１５の単位時間あたりの変位量を大きくしてから直動装置部２３Ａを駆動させることにより、各対物レンズＯｂ１，Ｏｂ２とステージ１５との間の空隙を短時間のうちに広くすることが可能になるので、被観察物Ｓの交換作業を円滑に行い易くなる。また、各ユニット回転軸２２３の回転中心線と微動調整用領域２２１ｂ上の準焦位置とが一直線上にあるため、被観察物Ｓにピントが合っている状態でステージ受け３１５の単位時間あたりの変化量を変更しても、ステージ受け３１５の高さは変化しない。このため、ピントを合わせなおす必要がなく楽に変更することができる。
【００７１】
なお、傾き調整ダイヤル２２７の周面あるいは上面に、傾き調整ダイヤル２２７の回動方向および回動量とステージ受け３１５の単位時間あたりの変位量との関係を示す絵柄、色彩、文字等を描いておくと、ステージ受け３１５の単位時間あたりの変位量の調整をし易くなるので、顕微鏡３０１の利便性が高まる。
【００７２】
（実施の形態３）
本発明の顕微鏡では、レボルバを回動させることで焦点調整用可動部の単位時間あたりの変位量を調整することができるように焦点調整機構を構成することができる。例えば、焦点調整用可動部とは別の部材に焦点調整面を設け、レボルバの回動に連動して焦点調整面の相対的な傾斜角度が変更されるように当該部材を焦点調整用可動部に回動可能に設ければ、レボルバを回動させることで焦点調整用可動部の単位時間あたりの変位量の調整が可能な焦点調整機構を構成することができる。
【００７３】
図８は、レボルバを回動させることで焦点調整用可動部の単位時間あたりの変位量の調整が可能な焦点調整機構を備えた顕微鏡の概略構成を示す一部断面側面図である。同図に示す顕微鏡４０１は、図６−１に示した焦点調整機構２０Ｂに代えて焦点調整機構２０Ｃを備えるという点を除き、図６−１に示した顕微鏡３０１と同様の構成を有している。図８に示した構成要素のうちで図６−１に示した構成要素と共通するものについては、図６−１で用いた参照符号と同じ参照符号を付してその説明を省略する。なお、図８においては、一対のガイド部２１，２１のうちの図面手前側のガイド部２１の図示を省略している。
【００７４】
焦点調整機構２０Ｃは、レボルバ１４を回動させることでステージ受け３１５の単位時間あたりの変位量を調整することができるように、図６−１に示した粗微動調整部２２Ｂに代えて粗微動調整部２２Ｃを備える。この点を除けば、焦点調整機構２０Ｃは、図６−１に示した焦点調整機構２０Ｂと同様の構成を有している。具体的には、図６−１に示した傾き調整用回動軸２２５に代わる長尺の傾き調整用回動軸２２５ａと、レボルバ１４の回動によって生じる動力を傾き調整用回動軸２２５ａに伝達する動力伝達部２２８とを備え、図６−１に示した傾き調整ダイヤル２２７は備えていないという点を除き、焦点調整機構２０Ｂと同様の構成を有している。
【００７５】
傾き調整用回動軸２２５ａの一端側は、ステージ受け３１５に設けられた軸支部３１５ｃによって軸支されており、他端側は、鏡筒１２の上側アーム部１２ｂ内に配置された上部軸受け２２９によって軸支されている。傾き調整用回動軸２２５ａの上記一端側には、傾き調整部材２２６が偏心状態で固定されている。
【００７６】
動力伝達部２２８は、レボルバ１４に設けられたレボルバ側歯車２２８ａと、上側アーム部１２ｂ内に配置された２段歯車２２８ｂと、傾き調整用回動軸２２５ａの他端側に固定された軸側歯車２２８ｃとを有している。レボルバ側動力伝達部材歯車２２８ａは、レボルバ１４の回動に伴って回動して、２段歯車２２８ｂでの下側の歯車ＤＧと噛合する。また、軸側歯車２２８ｃは、上部軸受け２２９の下方で傾き調整用回動軸２２５ａに固定されて、２段歯車２２８ｂでの上側の歯車ＵＧと噛合する。
【００７７】
したがって、レボルバ１４を回動させると、この回動に伴ってレボルバ側歯車２２８ａがレボルバ１４の回動方向と同じ方向に回動して、２段歯車２２８ｂがレボルバ１４の回動方向とは平面視上逆の方向に回動すると共に、軸側歯車２２８ｃがレボルバ１４の回動方向と平面視上同じ方向に回動する。そのため、傾き調整用回動軸２２５ａがレボルバ１４の回動方向と平面視上同じ方向に回動する。
【００７８】
すなわち、レボルバ１４の回動によって生じる動力がレボルバ側歯車２２８ａおよび２段歯車２２８ｂを介して軸側歯車２２８ｃに伝達されて、傾き調整用回動軸２２５ａがレボルバ１４の回動方向と平面視上同じ方向に回動する。レボルバ側歯車２２８ａは、レボルバ１４の回動によって生じる動力を傾き調整用回動軸２２５ａに伝達するためのレボルバ側動力伝達部材に相当し、軸側歯車２２８ａは軸側動力伝達部材に相当する。なお、図８では、レボルバ側歯車２２８ａの回動方向を矢印Ｅで、２段歯車２２８ｂの回動方向を矢印Ｆで、そして軸側歯車２２８ｃの回動方向を矢印Ｇで示している。
【００７９】
傾き調整用回動軸２２５ａが回動すると、この傾き調整用回動軸２２５ａの一端側に固定されている傾き調整部材２２６も平面視上同じ方向に回動して偏心運動するので、実施の形態２で説明した焦点調整機構２０Ｂの動作原理と同様の原理で、対物レンズＯｂ１の光軸ＯＡ１と直交する平面に対する焦点調整面２２１の相対的な傾斜角度が変化する。結果として、直動部材２３１Ａをステージ受け３１５側またはステージ受け３１５とは反対の側に移動させたときのステージ受け３１５の単位時間あたりの変位量が変化する。
【００８０】
上述の焦点調整機構２０Ｃを備えた顕微鏡４０１は、実施の形態２で説明した顕微鏡３０１と同様の技術的効果を奏する。レボルバ１４に所定のマーク、すなわち対物レンズの装着位置を当該対物レンズの倍率の高低に応じて指定するマークを設け、このマークと焦点調整用ユニット２２２側への傾き調整部材２２６の偏心量とを予め対応づけて粗微動調整部２２Ｃを構成すれば、顕微鏡４０１の利便性が高まる。
【００８１】
例えば、倍率の高い対物レンズの装着指定位置が被観察物Ｓ上にきたときには、焦点調整用ユニット２２２側への傾き調整部材２２６の偏心量が大きくなり、倍率の低い対物レンズの装着指定位置が被観察物Ｓ上にきたときには、焦点調整用ユニット２２２側への傾き調整部材２２６の偏心量が小さくなるように、粗微動調整部２２Ｃを構成する。
【００８２】
このように粗微動調整部２２Ｃを構成すると、倍率の高い対物レンズが被観察物Ｓ上にくるようにレボルバ１４を回動させたときには、当該対物レンズの光軸と直交する平面に対する焦点調整面２２１の傾斜角度が小さくなるので、焦点調整時におけるステージ受け３１５の単位時間あたりの変位量が小さくなる。その結果として、焦点を合わせ易くなる。また、倍率の低い対物レンズが被観察物Ｓ上にくるようにレボルバ１４を回動させたときには、当該対物レンズの光軸と直交する平面に対する焦点調整面２２１の傾斜角度が大きくなるので、焦点調整時におけるステージ受け３１５の単位時間あたりの変位量が大きくなる。その結果として、短時間で焦点を合わせ易くなる。対物レンズの選定に伴って、焦点調整時におけるステージ受け３１５の単位時間あたりの変位量が自ずと調整されるので、顕微鏡４０１の利便性が高まる。
【００８３】
（実施の形態４）
本発明の顕微鏡では、焦点調整機構での粗動調整用領域および微動調整用領域それぞれの傾斜角度を別個に変更することができるように構成することができる。例えば、平板状を呈する二つの板金が一つの回転軸で連結された焦点調整板を用いて粗微動調整部を作製すると共に、当該粗微動調整部での上記の回転軸の位置を変位可能に構成すれば、粗動調整用領域および微動調整用領域それぞれの傾斜角度を別個に変更することが可能な焦点調整機構を構成することができる。この場合、粗微動調整部は、焦点調整用可動部自体とすることもできるし、焦点調整用可動部とは別の部材とすることもできる。
【００８４】
図９−１および図９−２は、それぞれ、粗動調整用領域および微動調整用領域の各々の傾斜角度を別個に変更することができる粗微動調整部での各調整用領域の状態を概略的に示す一部断面側面図である。これらの図に示す粗微動調整部５１０は、焦点調整用可動部とは別の部材の焦点調整ユニット（以下、「焦点調整用ユニット５１０」という）であり、この焦点調整用ユニット５１０は、筐体５１１と、焦点調整板５１２と、焦点調整板５１２を筐体５１１に回動可能に固定する回転軸５１３とを有している。図９−１および図９−２の各々は、顕微鏡内に配置された焦点調整用ユニット５１０をその右側方からみた一部断面側面図に相当する。
【００８５】
筐体５１１は、焦点調整用ユニット５１０を顕微鏡内に配置したときに下となる側および背後となる側がそれぞれ開放され、背後となる側の上部に開口部ＯＰが、また前面の下部に切欠き部ＣＯが形成された箱体状を呈する。この筐体５１１での左右の側壁部５１１ａ，５１１ａには、側面視したときに回転軸５１３を中心にして回転軸５１３の配置位置よりも上方において弧を描く長穴ＬＨが形成されている。ただし、図９−１および図９−２には、左右の側壁部５１１ａ，５１１ａのうちの左の側壁部５１１ａのみが現れている。
【００８６】
焦点調整板５１２は、平板状を呈する二つの板金５１２ａ，５１２ｂと、各板金５１２ａ，５１２ｂを左右方向の両側から連結する一対の連結部材５１２ｃ，５１２ｃとを有している。各板金５１２ａ，５１２ｂは、一対の連結部材５１２ｃ，５１２ｃによって互いに回動自在に連結されており、板金５１２ａの自由端は開口部ＯＰから、また板金５１２ｂの自由端は切欠き部ＣＯからそれぞれ筐体５１１の外部に突出している。また、各連結部材５１２ｃの一端は、側壁部５１１ａを貫通して、鏡柱の側面から鏡柱の外部に突出する。鏡柱の両側面には、各連結部材５１２ｃの移動を可能にする開口部が長穴ＬＨと対応して設けられると共に、各連結部材５１２ｃの位置を固定するための係止部が設けられる。なお、図９−１および図９−２には、一対の連結部材５１２ｃ，５１２ｃのうちの一方のみが現れている。
【００８７】
回転軸５１３は、開口部ＯＰよりも下方で、かつ切欠き部ＣＯよりも上方で、板金５１２ｂを筐体５１１に回動可能に固定している。このため、焦点調整板５１２は、各板金５１２ａ，５１２ｂでの外側の主面同士がなす角θ１１よりも内側の主面同士がなす角θ１２の方が小さくなった状態で、筐体５１１に取り付けられている。板金５１２ａでの外側の主表面と板金５１２ｂでの外側の主表面とは焦点調整面ＦＳを構成し、板金５１２ａでの外側の主表面は粗動調整用領域ＦＳ１として、また板金５１２ｂでの外側の主表面は微動調整用領域ＦＳ２として機能する。
【００８８】
なお、回転軸５１３による板金５１２ｂの固定位置は、直動装置部から焦点調整面ＦＳに外力が加えられる箇所が当該固定位置と一つの平面内、すなわち被観察物上に位置させた対物レンズの光軸に直交する一つの平面内にきたときに顕微鏡の焦点が合うように選定されている。
【００８９】
上述のように構成された焦点調整用ユニット５１０は、実施の形態２で説明した焦点調整用ユニット２２２と同様に、焦点調整用可動部であるステージ受けの後端部に装置される。ただし、焦点調整用ユニット５１０は回動自在に配置する必要はなく、ステージ受けの後端部に固定配置することができる。
【００９０】
焦点調整用ユニット５１０をステージ受けの後端部に固定配置しても、鏡柱の側面から突出している各連結部材５１２ｃの一端を把持して当該連結部材５１２ｃを長穴ＬＨに沿って移動させると、板金５１２ｂが回転軸５１３による固定箇所を軸にして回動すると共に、板金５１２ａが連結部材５１２ｃを軸にして回動するので、粗動調整用領域ＦＳ１および微動調整用領域ＦＳ２それぞれの傾斜角度が別個に変更される。例えば、各連結部材５１２ｃを長穴ＬＨに沿って上側に移動させると、粗動調整用領域ＦＳ１の傾斜角度は小さくなり、微動調整用領域ＦＳ２の傾斜角度は大きくなる。逆に、連結部材５１２ｃを長穴ＬＨに沿って下側に移動させると、粗動調整用領域ＦＳ１の傾斜角度は大きくなり、微動調整用領域ＦＳ２の傾斜角度は小さくなる。
【００９１】
粗動調整用領域ＦＳ１および微動調整用領域ＦＳ２それぞれの傾斜角度が変更されても、板金５１２ｂが回転軸５１３によって筐体５１１に固定されていることから、顕微鏡での焦点位置は変化しない。なお、板金５１２ａの回動量は、上記対物レンズの光軸に沿った方向の開口部ＯＰの広さと、長穴ＬＨの長さとによって制御可能である。同様に、板金５１２ｂの回動量は、上記対物レンズの光軸に沿った方向の切欠き部ＣＯの切欠き量と、長穴ＬＨの長さとによって制御可能である。板金５１２ｂが回動すると、切欠き部ＣＯからの板金５１２ｂの突出長が変化するので、焦点調整用ユニット５１０が一体的に装置される焦点調整用可動部には、上記の突出長が変化することができるように、所定形状の逃げ部が設けられる。
【００９２】
この焦点調整用ユニット５１０を用いて構成された焦点調整機構を備える顕微鏡では、実施の形態１で説明した顕微鏡と同様の理由から、焦点調整機構の構成が簡易なものとなるので、製造コストを抑えることができる。また、被観察物に焦点を容易に合わせることが容易である。さらには、粗動調整用領域ＦＳ１および微動調整用領域ＦＳ２それぞれの傾斜角度を別個に変更することができるので、直動部材の単位時間あたりの変位量が一定であったとしても、観察倍率や観察者の意図に応じて、粗動調整時および微動調整時の焦点調整用可動部の変位速度を個別に調整することができるという技術的効果も得られる。
【００９３】
（変形例１）
本発明の顕微鏡では、直動部材の一端側に焦点調整用ユニットを固定して焦点調整機構の粗微動調整部を構成することができる。この場合、直動部材が粗微動調整部側に移動したときに焦点調整面から外力を受ける応力伝達部材の一端を焦点調整用可動部に固定し、当該応力伝達部材の他端は焦点調整用ユニットの焦点調整面に接触させる。
【００９４】
図１０は、直動部材の一端側に焦点調整用ユニットが固定された焦点調整機構の概略構成を示す側面図である。同図に示す焦点調整機構２０Ｄは、図６−１に示した粗微動調整部２２Ｂに代えて粗微動調整部２２Ｄを備えるという点を除き、図６−１に示した焦点調整機構２０Ｂと同様の構成を有している。図１０に示す構成要素のうちで図６−１に示した構成要素と共通するものについては、図６−１で用いた参照符号と同じ参照符号を付してその説明を省略する。なお、焦点調整機構２０Ｄが設けられる顕微鏡では、背面が平坦なステージ受け６１５を用いることができる。
【００９５】
粗微動調整部２２Ｄは、焦点調整用ユニット２２２と応力伝達部材６２１とを有する。焦点調整用ユニット２２２は、焦点調整面２２１をステージ受け６１５側に向けた状態で、かつ図６−１に示した状態から天地した状態で、顕微鏡に対して回動せずに直動部材２３１Ａとともに直進運動するように直動部材２３１Ａの先端側に設置されている。焦点調整用ユニット２２２の下面には、直動部材２３１Ａの長手軸と平行な長手軸を有する溝２２２ａが設けられており、この溝２２２ａには、顕微鏡のベース内に立設されたピン２２２ｂが係合している。また、応力伝達部材６２１は、一端６２１ａがステージ受け６１５での後端部６１５ａの下面に固定され、他端がベース側に突出して焦点調整面２２１に接触する棒状の部材である。この応力伝達部材６２１での上記の他端側には、キャップ状のボール保持部６２１ｂが装着されており、このボール保持部６２１ｂによってボール６２１ｃが転動自在に保持されている。
【００９６】
直動部材駆動部２３２Ａを起動して直動部材２３１Ａを応力伝達部材６２１側（粗微動調整部２２Ｄ側）に移動させると、焦点調整用ユニット２２２の溝２２２ａにピン２２２ｂが係合していることから、焦点調整用ユニット２２２は図１０に示した状態を保ったまま左方向に移動し、応力伝達部材６２１が焦点調整面２２１から外力を受け、この外力をステージ受け６１５に伝える。結果として、ステージ受け６１５がガイド部２１に沿って変位して、被観察物上に位置させた対物レンズと被観察物との相対距離が減少する。直動部材２３１Ａを応力伝達部材６２１側とは反対の側に移動させると、ステージ受け６１５が自重によってガイド部２１に沿って下方に変位する。
【００９７】
上述のように構成された粗微動調整部２２Ｄを備える焦点調整機構２０Ｄでは、ステージ受け６１５に焦点調整用ユニット２２２を装置する場合に比べ、ガイド部２１に沿って変位させるべき対象物が軽量化されるので、直動部材駆動部２３２Ａを構成するモータのトルクを小さくしても所望の速度でステージ受け６１５を変位させることが可能になる。
【００９８】
（変形例２）
本発明の顕微鏡では、レボルバを焦点調整用可動部として焦点調整機構を構成することもできる。レボルバを焦点調整用可動部とする場合には、レボルバ自体が変位するように焦点調整機構を構成してもよいし、レボルバが装着された鏡筒が変位するように焦点調整機構を構成してもよい。
【００９９】
図１１は、レボルバを焦点調整用可動部とする焦点調整機構の概略構成を示す一部切欠き側面図である。同図に示す焦点調整機構２０Ｅは、レボルバ１４を焦点調整用可動部とするものであるという点、レボルバ１４と係合する一対のガイド部７２１，７２１を備えるという点、および図６−１に示した粗微動調整部２２Ｂに代えて粗微動調整部２２Ｅを備えるという点をそれぞれ除き、図６−１に示した焦点調整機構２０Ｂと同様の構成を有している。図１１に示す構成要素のうちで図６−１に示した構成要素と共通するものについては、図６−１で用いた参照符号と同じ参照符号を付してその説明を省略する。
【０１００】
レボルバ１４は、鏡柱１２の上側アーム部１２ｂ内に挿入される端部１４ａに、一対のガイド挿通部１４ｂ，１４ｂを有している。個々のガイド挿通部１４ｂは環状を呈し、その内部にはリニアボールガイドが形成されている。また、各ガイド部７２１は棒状を呈し、上側アーム部１２ｂの内部に立設されている。一つのガイド挿通部１４ｂに一つのガイド部７２１が挿通されて、ガイド挿通部１４ｂと係合している。レボルバ１４は、各ガイド７２１によって、被観察物上に位置させた対物レンズＯｂ１の光軸ＯＡ１に沿った方向に変位可能である。なお、図１１には、一対のガイド挿通部１４ｂ，１４ｂのうちの一方、および一対のガイド部７２１，７２１のうちの一方がそれぞれ現れている。
【０１０１】
粗微動調整部２２Ｅは、レボルバ１４の端部１４ａに固定された焦点調整用ユニット２２２を有する。この焦点調整用ユニット２２２は、焦点調整面２２１を直動装置部２３Ａ側に向けて、レボルバ１４の端部１４ａに固定されている。焦点調整面２２１では、微動調整用領域２２１ｂの下端側に粗動調整用領域２２１ａが連続している。直動装置部２３Ａは、直動部材２３１Ａの先端を焦点調整面２２１に接触させた状態で配置されて、直動部材２３１Ａを焦点調整用ユニット２２２側および焦点調整用ユニット２２２側とは反対の側に移動させる。
【０１０２】
直動部材駆動部２３２Ａを起動して直動部材２３１Ａを焦点調整用ユニット２２２側に移動させると、光軸ＯＡ１に沿った上向きの力がレボルバ１４に生じて、レボルバ１４が各ガイド部７２１に沿って上方に変位し、被観察物と対物レンズＯｂ１との距離が増加する。直動部材２３１Ａを焦点調整用ユニット２２２側とは反対の側に移動させると、レボルバ１４が自重によって各ガイド部７２１に沿って下方に変位し、被観察物と対物レンズとの距離が減少する。
【０１０３】
上述のようにレボルバ１４を焦点調整用可動部として焦点調整機構２０Ｅを構成した場合には、ステージ受けを焦点調整用可動部として焦点調整機構を構成した場合に比べ、鏡柱１２の支柱部内に配置すべき部品点数が減るので、支柱部内に余剰のスペースが生じる。そのため、当該スペースをオプショナルパーツの配置スペースとして利用したり、所望の機能を付加する際の部品配置スペースとして利用したりすることができる。また、顕微鏡をデザイン変更する際の設計の自由度も高くなる。
【０１０４】
（変形例３）
本発明の顕微鏡では、焦点調整用可動部を可動部用弾性部材で弾性支持し、粗微動調整部側とは反対の側に直動部材を移動させたときに上記の可動部用弾性部材の弾性力で焦点調整用可動部が変位するように焦点調整機構を構成することができる。
【０１０５】
図１２は、焦点調整用可動部が可動部用弾性部材で弾性支持されている焦点調整機構の概略構成を示す側面図である。同図に示す焦点調整機構２０Ｆは、図１に示し粗微動調整部２２Ａに代えて粗微動調整部２２Ｆを備えるという点を除き、図１に示した焦点調整機構２０Ａと同様の構成を有している。また、粗微動調整部２２Ｆは、ステージ受け８１５での後端部８１５ａに焦点調整面２２１が設けられているという点、およびステージ受け８１５を弾性支持する可動部用弾性部材８２１を備えるという点をそれぞれ除き、図１に示した粗微動調整部２２Ａと同様の構成を有している。図１２に示す構成要素のうちで図１に示した構成要素と共通するものについては、図１で用いた参照符号と同じ参照符号を付してその説明を省略する。
【０１０６】
粗微動調整部２２Ｆにおける焦点調整面２２１では、後端部８１５ａでの背面８１５ｃの上側に微動調整用領域２２１ｂが設けられ、この微動調整用領域２２１ｂの上端に連続して粗動調整用領域２２１ａが設けられている。また、可動部用弾性部材８２１は、例えばゴムバネ、板バネ、コイルバネ等を用いて構成されて、顕微鏡本体のベース部内に設けられた弾性部材取付け部８２２の上面と後端部８１５ａの下面との間に架設されている。可動部用弾性部材８２１は、ステージ受け８１５が上死点のときに自然長となるように設けられている。
【０１０７】
この粗微動調整部２２Ｆを有する焦点調整機構２０Ｆでは、直動部材駆動部２３２Ａを起動して直動部材２３１Ａを粗微動調整部２２Ｆ側に移動させると、被観察物上に位置させた対物レンズの光軸に沿った下向きの力がステージ受け８１５に生じ、可動部用弾性部材８２１の弾性力に抗してステージ受け８１５が各ガイド部２１に沿って下方に変位して、被観察物と対物レンズとの距離が増加する。また、直動部材２３１Ａを粗微動調整部２２Ｆ側とは反対の側に移動させると、ステージ受け８１５が可動部用弾性部材８２１の弾性力によって各ガイド部２１に沿って上方に変位して、被観察物と対物レンズとの距離が減少する。
【０１０８】
このように構成された焦点調整機構２０Ｆでは、直動部材２３１Ａから焦点調整面２２１に外力を加えることでステージ受け８１５が各ガイド部２１に沿って下方に変位するので、ステージ受け８１５がその自重によって各ガイド部２１に沿って下方に変位する場合に比べて、下降時のステージ受け８１５の動きが安定する。
【０１０９】
（変形例４）
本発明の顕微鏡では、焦点調整機構における焦点調整面を三つ以上の面で構成したり、一つの曲面で構成したりすることができる。これらの焦点調整面は、焦点調整用可動部に設けることもできるし、焦点調整用可動部とは別の部材に設けることもできる。
【０１１０】
三つ以上の面で焦点調整面を構成する場合には、少なくとも一つの面を粗動調整用領域とし、少なくとも一つの面を微動調整用領域として、かつ直動部材の先端部または応力伝達部材の先端部が微動調整用領域の所定箇所と接触したときに被観察物に焦点が合うように焦点調整機構を構成する。同様に、一つの曲面で焦点調整面を構成する場合には、この曲面を側面視したときの各箇所での接線と、被観察物上に位置させた対物レンズの光軸に直交する平面とがなす角の大きさに応じて、当該曲面を粗動調整用領域と微動調整用領域とに区分し、直動部材の先端部または応力伝達部材の先端部が微動調整用領域の所定箇所と接触したときに被観察物に焦点が合うように焦点調整機構を構成する。
【０１１１】
図１３−１は、三つの平面で構成された焦点調整面を有する焦点調整用ユニットの概略構成を示す側面図である。同図に示す焦点調整用ユニット９２２Ａでは、焦点調整面９２１Ａが三つの平面Ｐ１〜Ｐ３を有している。平面Ｐ１の下端に平面Ｐ２が連続しており、平面Ｐ２の下端に平面Ｐ３が連続している。上側の二つの平面Ｐ１，Ｐ２は粗動調整用領域ＣＲとして設定されており、平面Ｐ３は微動調整用領域ＦＲとして設定されている。この焦点調整用ユニット９２２Ａを用いた焦点調整機構は、直動部材の先端部または応力伝達部材の先端部が平面Ｐ３内の準焦位置ＦＰと接触したときに被観察物に焦点が合うように構成される。
【０１１２】
図１３−２は、一つの曲面で構成された焦点調整面を有する焦点調整用ユニットの概略構成を示す側面図である。同図に示す焦点調整用ユニット９２２Ｂでは、焦点調整面９２１Ｂが一つの曲面のみを有している。この焦点調整面９２１Ｂでは、当該焦点調整面９２１Ｂを側面したときの接線と、被観察物上に位置させた対物レンズの光軸に直交する平面とがなす角が所定値以上となる上側の領域が粗動調整用領域ＣＲとして、また残りの領域を微動調整用領域ＦＲとして区分されている。この焦点調整用ユニット９２２Ｂを用いた焦点調整機構は、直動部材の先端部または応力伝達部材の先端部が微動調整用領域ＦＲ内の準焦位置ＦＰと接触したときに被観察物に焦点が合うように構成される。
【０１１３】
以上、本発明の顕微鏡について実施の形態および変形例を挙げて説明したが、前述のように、本発明は上記の形態や変形例に限定されるものではない。例えば、本発明の顕微鏡における焦点調整機構以外の構成は、実体顕微鏡、光学顕微鏡、暗視野顕微鏡、位相差顕微鏡、微分干渉顕微鏡、偏光顕微鏡、蛍光顕微鏡等、当該顕微鏡の用途に応じて適宜選定可能である。
【０１１４】
また、焦点調整機構における粗微動調整部の構成も、当該粗微動調整部が焦点調整面を有していれば、適宜変更可能である。例えば、図６−１に示した粗微動調整部２２Ｂのように焦点調整ユニットが回動可能に保持された粗微動調整部を構成するにあたっては、傾き調整用回動軸２２５を当該傾き調整用回転軸２２５が顕微鏡の左右軸と平行になるように焦点調整用可動部に軸支させ、この傾き調整用回転軸２２５の一端側に傾き調整部材２２６を固定し、他端側に傾き調整ダイヤル２２７を固定してもよい。この場合、傾き調整ダイヤル２２７は、鏡柱の側面から外方に突出して配置される。
【０１１５】
また、図８に示した粗微動調整部２２Ｃのように、レボルバを回動させることで焦点調整用可動部の単位時間あたりの変位量を調整することができる焦点調整機構を構成するにあたっては、レボルバの回動によって生じる動力をタイミングプーリとタイミングベルトとを用いて傾き調整用回動軸に伝達させてもよい。この場合、レボルバ側動力伝達部材および軸側動力伝達部材の各々としてタイミングプーリを装置し、これらのタイミングプーリ間にタイミングベルトを架け渡す。
【０１１６】
微動調整用領域内での準焦位置は、被観察物の一般的な厚さと微動調整用領域の下端を基準にした微動調整用領域の高さとを考慮して、適宜選定可能である。例えば、被観察物の一般的な厚さが１〜１．５ｍｍであり、上記微動調整用領域の高さを２ｍｍとした場合には、当該高さの１／２に相当する箇所、すなわち微動調整用領域の下端を基準としたときの高さが１ｍｍに相当する箇所を準焦位置とすることができる。勿論、微動調整用領域の高さを２ｍｍ以外の値にした場合も、当該高さの１／２に相当する箇所を準焦位置することができる。また、微動調整用領域の高さの１／２に相当する箇所よりも粗動調整用領域に準焦位置を近づけ、粗動調整用領域から微動調整用領域に僅かに入ったあたりに準焦位置を設定すれば、粗動調整から微動調整に移行して直ぐに焦点が合うことになり、粗動調整から微動調整への移行のタイミングを焦点調整の目安にすることが可能になるので、焦点を更に合わせ易くなる。
【０１１７】
焦点調整機構における直動装置部は、電動式であってもよいし、手動式であってもよい。ラック・アンド・ピニオンを用いれば、電動式および手動式のいずれの直動装置部も容易に構成することができる。
【０１１８】
図１４は、ラック・アンド・ピニオンを用いた電動式の直動装置部の概略構成を示す平面図である。同図に示す直動装置部２３Ｂは、ラックギア２３３ａの一端側にキャップ状のボール保持部２３３ｂが装着され、このボール保持部２３３ｂによってボール２３３ｃが転動自在に保持された直動部材２３３と、モータ２３４の回転軸２３４ａにピニオン２３５が固定された直動部材駆動部２３６とを備えており、ラックギア２３３ａとピニオン２３５とが互いに噛合している。この直動装置部２３Ｂでは、ラックギア２３３ａとピニオン２３５とのギア比、ならびにモータ２３４での回転軸２３４ａの回動方向および駆動時間に応じて、直動部材２３３の移動方向および移動量が制御される。
【０１１９】
図１５は、ラック・アンド・ピニオンを用いた手動式の直動装置部の概略構成を示す平面図である。同図に示す直動装置部２３Ｃは、ラックギア２３７ａの一端側にキャップ状のボール保持部２３７ｂが装着され、このボール保持部２３７ｂによってボール２３７ｃが転動自在に保持された直動部材２３７と、顕微鏡の左右軸と平行に配置されて鏡柱１２を貫通するピニオン回転軸２３８ａの中央部にピニオン２３８ｂが固定され、両端部に焦点調整用ハンドル２３８ｃ，２３８ｃが固定された直動部材駆動部２３８とを備えており、ラックギア２３７ａとピニオン２３８ｂとが互いに噛合している。この直動装置部２３Ｃでは、焦点調整用ハンドル２３８ｃ，２３８ｃを手で正転または逆転させることにより、直動部材２３７の移動方向および移動量を制御することができる。
【０１２０】
本発明の顕微鏡については、上述した以外にも種々の変形、修飾、組み合わせ等が可能である。なお、本発明の顕微鏡における焦点調整機構は、顕微鏡以外の光学機器で焦点調整を行うものに適用することも可能である。
【符号の説明】
【０１２１】
１，３０１，４０１  顕微鏡
１４  レボルバ
１５，３１５，６１５，８１５  ステージ受け
１６  ステージ
２０Ａ，２０Ｂ，２０Ｃ，２０Ｄ，２０Ｅ，２０Ｆ  焦点調整機構
２１，７２１  ガイド部
２２Ａ，２２Ｂ，２２Ｃ，２２Ｄ，２２Ｅ，２２Ｆ  粗微動調整部
２２１ａ  粗動調整用領域
２２１ｂ  微動調整用領域
２２１，９２１Ａ，９２１Ｂ  焦点調整面
２２２，５１０，９２２Ａ，９２２Ｂ  焦点調整用ユニット
２２３  ユニット回動軸
２２４  ユニット引寄せ部材
２２５，２２５ａ  傾き調整用回動軸
２２６  傾き調整部材
２２７  傾き調整ダイヤル
２２８  動力伝達部
２２８ａ  レボルバ側歯車
２２８ｃ  軸側歯車
２３Ａ，２３Ｂ，２３Ｃ  直動装置部
２３１，２３３，２３７  直動部材
２３２，２３６，２３８  直動部材駆動部
６２１  応力伝達部材
８２１  可動部用弾性部材
Ｏｂ１，Ｏｂ２  対物レンズ
ＯＡ１  対物レンズの光軸
Ｓ  被観察物
ＦＰ  準焦位置
【図１】
2011253123.tif 000003
【図２】
2011253123.tif 000004
【図３】
2011253123.tif 000005
【図４】
2011253123.tif 000006
【図５−１】
2011253123.tif 000007
【図５−２】
2011253123.tif 000008
【図５−３】
2011253123.tif 000009
【図６−１】
2011253123.tif 000010
【図６−２】
2011253123.tif 000011
【図７−１】
2011253123.tif 000012
【図７−２】
2011253123.tif 000013
【図８】
2011253123.tif 000014
【図９−１】
2011253123.tif 000015
【図９−２】
2011253123.tif 000016
【図１０】
2011253123.tif 000017
【図１１】
2011253123.tif 000018
【図１２】
2011253123.tif 000019
【図１３−１】
2011253123.tif 000020
【図１３−２】
2011253123.tif 000021
【図１４】
2011253123.tif 000022
【図１５】
2011253123.tif 000023